(57)【要約】【課題】住宅周りのコンクリート層を補強する鉄筋を、鋼製型枠や基礎コンクリートに穴を開けることなく簡易かつ確実に水平に支持する鉄筋支持用インサートを提供する。【解決手段】インサート１０は、軸心を貫通したねじ溝の形成された軸孔１２ａを有する基部１２と、基部１２の軸方向一端に同軸状に固定された金属板製の円形の浅い容器状の取付部１３とからなる本体１１と、取付部１３内に挿入された円環状の磁石１４とを備えている。インサート１０の基部１２の軸方向他端に、型枠１７が立設された内側の基礎コンクリートが打設される側に水平状態で配設された鉄筋１６が軸孔１２ａ内に挿入されて螺着され、取付部１３が磁石１４の磁力によって型枠１７に固定される。コンクリート打設後に、表面に露出した軸孔に外側鉄筋２１が挿入されて螺着される。【選択図】図５
0003143573.tif 000002
【実用新案登録請求の範囲】
【請求項１】
ストレートな棒状であって軸方向両端間を貫通するねじ溝の形成された軸孔を設けた基部と、該基部の軸方向一端にて該軸孔の周囲に固定された環状の取付部と、該軸孔の周囲にて該取付部に固定された磁石とを備え、コンクリート打設側にて水平状態で配設された鉄筋の先端が前記基部の軸方向他端側から軸孔に螺着され、前記取付部側にて鋼製型枠に着脱可能に取り付けられることを特徴とする鉄筋支持用インサート。
【請求項２】
前記磁石が、前記取付部に着脱可能にされたことを特徴とする前記請求項１に記載の鉄筋支持用インサート。
【請求項３】
前記取付部が、前記基部に固定された環状の底板部と、該底板部外周縁に一体で設けられて該基部の反対方向に延びる筒壁部とにより構成されており、前記磁石が前記取付部内に配置されたことを特徴とする前記請求項１又は２に記載の鉄筋支持用インサート。
【請求項４】
前記基部及び／又は取付部のコンクリートとの接触面に、コンクリートとの密着を高める密着手段を設けたことを特徴とする前記請求項１から３のいずれか１項に記載の鉄筋支持用インサート。
【請求項５】
前記取付部に釘孔を設けたことを特徴とする前記請求項１から４のいずれか１項に記載の鉄筋支持用インサート。
【考案の詳細な説明】
【技術分野】
【０００１】
本考案は、住宅の基礎コンクリート等から延びる住宅周りの犬走り、玄関土間、テラス土間等のコンクリート層を補強する鉄筋を水平に支持する鉄筋支持用インサートに関する。
【背景技術】
【０００２】
従来、この種のコンクリート層を補強する鉄筋について、コンクリート打設前に簡易に支持する鉄筋支持方法が求められていた。例えば、基礎コンクリートに穴を開けて、これに差し込んで固定するような方法が行われていた。しかし、この方法では、基礎コンクリートに穴を開けること自体好ましいことではなく、また穴を開ける手間も大きいものであった。これに対して、基礎コンクリートの打設に使用される鋼製型枠に穴を開け、コンクリート打設前に鉄筋を穴に挿入しておき、あるいは基礎コンクリート打設部分に配置された鉄筋を穴を通して外部に延長させる方法もあった。しかし、鋼製型枠の規定位置に穴を開けること自体が煩雑であり、また穴を開けた鋼製型枠については鉄筋支持以外の箇所では使用し難くなるという問題もある。
【０００３】
これに対して、例えば特許文献１に示すように、金属材料からなる基筒の一端壁にフランジを形成し、基筒内壁には螺溝を形成してこの螺溝の他端に基筒よりも大径の頭部を有するボルトを螺着してなるインサートが知られている。このインサートは、フランジ部に設けた挿通孔を通して釘を打ちつけることにより、木製の型枠に取り付けられるようになっている。しかし、このインサートでは、釘を打ちつけるための手間が非常に煩雑であり、しかも釘止めのみでは取付強度は十分ではないという問題がある。さらに、このインサートは、近年の主流となっている鋼製型枠に対しては使用できないという不都合もある。
【特許文献１】実願昭４８−９０６５６号
【考案の開示】
【考案が解決しようとする課題】
【０００４】
本考案は、上記問題を解決しようとするもので、住宅周りのコンクリート層を補強する鉄筋を、鋼製型枠や基礎コンクリートに穴を開けることなく簡易かつ確実に水平に支持することができる鉄筋支持用インサートを提供することを目的とする。
【課題を解決するための手段】
【０００５】
上記目的を達成するために、本考案の構成上の特徴は、ストレートな棒状であって軸方向両端間を貫通するねじ溝の形成された軸孔を設けた基部と、基部の軸方向一端にて軸孔の周囲に固定された環状の取付部と、軸孔の周囲にて取付部に固定された磁石とを備え、コンクリート打設側にて水平状態で配設された鉄筋の先端が基部の軸方向他端側から軸孔に螺着され、取付部側にて鋼製型枠に着脱可能に取り付けられることにある。
【０００６】
上記のように構成した本考案においては、鉄筋支持用インサートの軸孔の他端側に、鋼製型枠のコンクリート打設側にて水平に配設された鉄筋を螺着させて封止した状態で、軸方向一端側である取付部側にて磁石によって鋼製型枠に取り付けることにより、インサートが鋼製型枠に固定される。この状態で、鋼製型枠内にコンクリートが打設され、基礎コンクリートが形成される。ここで、インサートは、鉄筋と磁石によって強固に鋼製型枠に固定されているため、コンクリートの打設によって鋼製型枠からの脱落や位置ずれ等が確実に防止される。コンクリート硬化後に鋼製型枠を外すことにより、鉄筋支持用インサートが、軸孔をコンクリートで塞がれることなく基礎コンクリートに埋設されて、コンクリート表面の規定位置に一端側が露出した状態にされる。この露出したインサートの軸孔に外側から鉄筋を挿入して螺着させることにより、コンクリート内に埋設された鉄筋と外側の鉄筋とがインサートを介して実質的に一本化される。その結果、本考案によれば、住宅周りの玄関土間用等のコンクリート層を補強する外側の鉄筋が基礎コンクリート打設部分に強固に支持されて外側に安定した状態で配設されるため、この鉄筋により住宅周りのコンクリート層を簡易にかつ安定して補強することができる。また、本考案においては、外側の鉄筋が基礎コンクリートや鋼製型枠に穴を開けることなく確実に水平に支持されるため、煩雑な穴開けの手間がなく、基礎コンクリートの耐久性も確保され、また設けた穴の位置により鋼製型枠の使用が制限されることもなく、型枠の汎用性も確保される。
【０００７】
また、本考案において、磁石が、取付部に着脱可能にされたものであってもよい。これにより、コンクリート打設後に、磁石を取り外すことができ、磁石の繰り返し使用が可能になるため、磁石のコストが低減する。
【０００８】
また、本考案において、取付部が、基部に固定された環状の底板部と、底板部外周縁に一体で設けられて基部の反対方向に延びる筒壁部とにより構成されており、磁石が取付部内に配置されたものであってもよい。これにより、磁石が取付部内に収容されて取付部に囲まれた状態で取付部に固定されるため、磁石の磁力が効率良く作用して、取付部の鋼製型枠への接着力が高められる。
【０００９】
また、本考案において、基部及び／又は取付部のコンクリートとの接触面に、コンクリートとの密着を高める密着手段を設けたものであってもよい。例えば、基部や取付部のコンクリートとの接触面に、外部に突出する羽根状の突出片を設けたり、接触面から凹んだ凹み部を設けたり、あるいは接触面を荒らした微細な凹凸状の面にすることができる。これにより、コンクリート打設後に、コンクリートから引張り力がインサートに加わるが、密着手段によりこの引張り力に対抗してインサート外壁面とコンクリートとの密着を高めることができる。
【００１０】
また、本考案において、取付部に釘孔を設けることができる。これにより、鉄製の型枠の代わりに木製の型枠を使用する場合に、磁石を取り外したインサートの取付部を、木製の型枠に釘で固定することができる。そのため、本考案のインサートを、鋼製の型枠に対してのみでなく、木製の型枠にも使用することができるので、インサートの汎用性が高められる。
【考案の効果】
【００１１】
本考案によれば、鉄筋支持用インサートの他端側が、鋼製型枠内の基礎コンクリート打設側に設けた鉄筋によって支持され、取付部側にて鋼製型枠に取り付けられることにより、インサートは、鉄筋と磁石によって強固に鋼製型枠に固定されているため、コンクリートの打設によって鋼製型枠からの脱落や位置ずれ等が確実に防止される。さらに、基礎コンクリート表面に露出したインサートの軸孔に外側から鉄筋を挿入することにより、外側の鉄筋とコンクリート内の鉄筋とがインサートを介して強固に連結されて一本化される。その結果、本考案においては、住宅周りのコンクリート層を補強する外側の鉄筋を基礎コンクリート打設部分の外側に簡易かつ確実に水平に支持することができ、外側の鉄筋により住宅周りのコンクリート層を簡易にかつ安定して補強することができる。また、本考案によれば、鉄筋支持のために基礎コンクリートや鋼製型枠に穴を開ける必要がないので、穴を開ける手間が不要になり、さらに基礎コンクリートの耐久性や鋼製型枠の汎用性が確保される。
【考案を実施するための最良の形態】
【００１２】
以下、本考案の一実施例について図面を用いて説明する。図１、図２、図３は実施例１である住宅用の基礎コンクリート内に埋設された鉄筋の延長上にて、住宅周辺のコンクリート層に埋設する外側鉄筋を支持するための鉄筋支持用インサート１０（以下、インサートと記す）を一部破断正面図、左側面部及び右側面図により示したものである。また、図４及び図５はインサート１０の使用状態を一部破断面図及び断面図により示したものである。
【００１３】
インサート１０は、正六角形の金属棒で軸心を貫通したねじ溝の形成された軸孔１２ａを有する基部１２と、基部１２の軸方向一端（図示左端）に同軸状に固定された金属板製の円形の浅い容器状の取付部１３とからなる本体１１と、取付部１３内に挿入された円環状の磁石１４とを備えている。軸孔１２ａには、軸方向全体にねじ溝１２ｂが形成されており、後述する鉄筋１６、外側鉄筋２１のねじ部がねじ溝１２ｂに螺合可能なようになっている。取付部１３は、中央に軸孔１２ａよりわずかに大きな径の中心穴１３ｂを有する円形の底板部１３ａと、底板部１３ａの外周縁に垂直に設けた円筒壁部１３ｃを一体で有している。取付部１３は、穴開き平板にプレス加工を施すことにより、安価に提供される。取付部１３は、底板部１３ａにて基部１２に溶接等により固定されて、円筒壁部１３ｃが基部１２の反対方向に延びるように配設されている。なお、基部１２については六角形に限らず他の多角形、円形、楕円形等であってもよい。また、取付部１３についても、円形に限らず、多角形、楕円形等であってもよい。
【００１４】
磁石１４は、外径が円筒壁部１３ｃよりわずかに小さく、中心に中心穴１３ｂよりわずかに径の大きい中心穴１４ａを有し、厚さが円筒壁部１３ｃの高さよりわずかに小さい円環板である。磁石１４は、底板部１３ａに着脱可能に固定されて、取付部１３内に収容されて取付部１３に囲まれている。そのため、磁石１４の磁力が有効に作用するようになっており、取付部１３の後述する鋼製型枠１７（以下、型枠と記す）への取付強度が高められる。なお、磁石については、円環形の一体品に限らず、複数の小さな磁石片を集めて取付部１３に円環状に配列して固定するようにしてもよい。また、磁石１４は、底板部１３ａに接着剤により固定されてもよく、これにより安定した固定が可能になる。
【００１５】
つぎに、実施例１の動作について説明する。
図４に示すように、インサート１０の基部１２の軸方向他端（図示右端）に、型枠１７が立設された内側の基礎コンクリートが打設される側に水平状態で配設された鉄筋１６が軸孔１２ａ内に挿入されて螺着され、取付部１３が磁石１４の磁力によって型枠１７に固定される。これにより、インサート１０は、鉄筋１６に支持されると共に磁石１４によって型枠１７に固定されることにより、確実に型枠１７に取り付けられる。この状態で、型枠１７内にコンクリートが打設され、基礎コンクリート１８が形成される。ここで、インサート１０は、鉄筋１６と磁石１４により強固に型枠１７に固定されているため、コンクリートの打設によって型枠１７からの脱落や位置ずれ等が確実に防止される。また、インサート１０の本体１１の軸孔１２ａが鉄筋１６で塞がれて、コンクリートの浸入が阻止されるので、軸孔１２ａがコンクリートで埋められることはない。
【００１６】
その後、型枠１７を取り外すことにより、基礎コンクリート１８表面の規定位置にインサート１０の一端側が露出する。さらに、図５に示すように、露出した軸孔１２ａに外側から鉄筋２１を挿入して螺着させることにより、外側鉄筋２１がインサート１０を介して水平状態に強固に支持され、基礎コンクリート１８内に埋設された鉄筋１６と外側鉄筋２１とがインサート１０を介して実質的に一本化される。このように配設された外側鉄筋２１に対して、住宅周りの犬走り、玄関土間、テラス土間等のためのコンクリート層が打設形成される。
【００１７】
その結果、実施例１においては、外側鉄筋２１により、住宅周りの犬走り、玄関土間、テラス土間等のコンクリート層が安定して補強される。また、従来のように、基礎コンクリート１８や型枠１７に取付孔を開ける必要がないため、穴開けの手間が不要であり、さらに基礎コンクリート１８の耐久性や型枠１７の汎用性が確保される。なお、磁石１４については、取付部１３から取り外すことが可能であり、これにより、磁石１４を繰り返し使用できるため、磁石コストを低減できる。
【００１８】
つぎに、インサート１０の変形例について、図６により説明する。
変形例では、インサート１０の本体１１の取付部１３の形状を円形の代わりに、取付部２３を四角形にし、さらに取付部２３内に２つの長方形の磁石２７を互いに隔てて取り付けたものである。取付部２３は、中央に軸孔１２ａよりわずかに大きな径の中心穴２４ａを有する長方形の底板部２４と、底板部２４の外周縁に垂直に設けた四角形の筒壁部２５を一体で有している。基部１２については実施例１と同様である。これにより、変形例によっても、実施例１と同様の効果が得られると共に、磁石２７を分割できるので、磁石２７のコストが安価にされる。
【００１９】
つぎに、実施例２について、図７により説明する。
実施例２では、インサート１０Ａの本体１１のコンクリートとの接触面に、コンクリートとの密着を高める密着手段を設けたものである。密着手段として、本体１１の基部１２には、外面に互いに離間して突出した基部１２と同一材質である鉄製の多数の羽根状の突出片３１を設け、取付部１３外面は荒らされた微細な凹凸部３２を設けたものである。実施例２においては、コンクリート打設により、コンクリートから引張り力がインサート１０Ａに加わるが、密着手段である突出片３１、凹凸部３２がコンクリートに密着することにより、コンクリートの引張り力に対抗してインサート外壁面とコンクリートとの密着を高めることができる。なお、突出片３１、凹凸部３２については、本体１１に対していずれか一方を用いてもよい。
【００２０】
つぎに、実施例３について、図８及び図９により説明する。
実施例３では、実施例１のインサート１０において、本体１１の取付部１３の底板部１３ａの径方向の対向する２箇所に、釘穴３４を設けたものであり、その他の構成については実施例１と同様である。これにより、コンクリート打設のための型枠として木製の型枠を使用する場合、磁石１４を取り外した取付部１３を釘穴３４を通して図示しない釘により木製の型枠に固定することができる。そのため、実施例３では、インサートを、鋼製の型枠に対してのみでなく、木製の型枠にも使用することができるので、インサートの汎用性が高められる。なお、釘穴３４の数は２個に限らず１個あるいは複数個でもよく、また底板部１３ａへの配設箇所についても実施例３の配設位置に限らない。また、実施例３については、上記変形例や実施例２に対しても適用することができる。
【００２１】
なお、上記各実施例、変形例に示したインサートはいずれも鋼製の部材であるが、これに代えて樹脂製やＦＲＰ等の複合材料製の部材とすることも可能である。この場合、取付部に取り付けられる磁石については接着剤で固定する必要がある。また、上記実施例においては、インサートが、住宅のコンクリート層補強のための鉄筋の支持に用いられる場合について説明されているが、その他に例えば土木用メタルとしても使用される。その他、上記実施例に示したインサートについては一例であり、本考案の趣旨を逸脱しない範囲において種々変更して実施することができる。
【産業上の利用可能性】
【００２２】
本考案のインサートは、住宅周りのコンクリート層を補強する鉄筋を、基礎コンクリートや鋼製型枠に穴を開けることなく簡易かつ確実に水平に支持することができるので、有用である。
【図面の簡単な説明】
【００２３】
【図１】本考案の実施例１である鉄筋支持用インサートを示す一部破断正面図である。
【図２】同インサートの本体を示す左側面図である。
【図３】同インサートの本体を示す右側面図である。
【図４】同インサートの使用状態を示す一部破断正面図である。
【図５】同インサートに外側鉄筋を螺着させた状態を示す正面断面図である。
【図６】変形例であるインサートを示す左側面図である。
【図７】実施例２であるインサートを示す一部破断正面図である。
【図８】実施例３であるインサートの本体を示す一部破断正面図である。
【図９】同インサートの本体を示す右側面図である。
【符号の説明】
【００２４】
１０，１０Ａ：鉄筋支持用インサート、１１：本体、１２：基部、１２ａ：軸孔、１２ｂ：ねじ溝、１３：取付部、１４：磁石、１６：鉄筋、１７：鋼製型枠、１８：基礎コンクリート、２１：外側鉄筋、２３：取付部、２７：磁石、３１：突出片、３２：凹凸部、３４：釘穴。
【図１】
0003143573.tif 000003
【図２】
0003143573.tif 000004
【図３】
0003143573.tif 000005
【図４】
0003143573.tif 000006
【図５】
0003143573.tif 000007
【図６】
0003143573.tif 000008
【図７】
0003143573.tif 000009
【図８】
0003143573.tif 000010
【図９】
0003143573.tif 000011